(57)【要約】【課題】  設置するためのコストや作業を軽減し、送水される水道水を少ない電力で、且つ効率よく加熱することができる電気温水器を提供すること。【解決手段】  本発明の電気温水器は、水道の蛇口に装着され、送水管内の水道水を電気エネルギーにより加熱する電気温水器において、該電気温水器１は、上部に蛇口装着部３を設け下部に出水口４を形成した枠体２と、該枠体２内に収容された、周囲に螺旋状の凹溝１１を施した送水管１０とからなり、前記凹溝１１内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体２０を収容させたことを特徴とする。また前記送水管１０の周囲に絶縁材１２を施した。さらに前記送水管１０の周囲に断熱材１３を被覆した。【選択図】図１
2008151492.tif 000002
【特許請求の範囲】
【請求項１】
水道の蛇口に連結され、送水管内の水道水を電気エネルギーにより加熱する電気温水器において、該電気温水器は、上部に蛇口装着部を設け下部に出水口を形成した枠体と、該枠体内に収容された、周囲に螺旋状の凹溝を施した送水管とからなり、前記凹溝内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことを特徴とする電気温水器。
【請求項２】
前記送水管の周囲に絶縁材を施した請求項１記載の電気温水器。
【請求項３】
前記送水管の周囲に断熱材を被覆した請求項１または２記載の電気温水器。
【発明の詳細な説明】
【技術分野】
【０００１】  本発明は、送水される水道水を少ない電力で、且つ効率よく加熱することができる電気温水器に関する。
【背景技術】
【０００２】  従来、タンク内の蓄熱用流体とポンプ手段の駆動なしで熱交換する水道直圧式の蓄熱式温水器を提供し、給湯時の電動ポンプ駆動電力をなくし給湯にかかる光熱費の低減を図る温水器がある（例えば、特許文献１参照）。【０００３】  上掲特許文献１の温水器は、蓄熱用流体を貯留するタンクと、前記蓄熱用流体を加熱する熱手段と、入口側を水道に直結され前記タンク上部に出口を有し前記タンク内に設けられて給湯用水が前記蓄熱用流体と熱交換する熱交換管路とを備え、前記熱交換管路で熱交換により加熱された水道水を給湯することを特徴としている。
【特許文献１】特開２００３−１８５２７１号公報（第１頁、図１）
【発明の開示】
【発明が解決しようとする課題】
【０００４】  しかしながら特許文献１の温水器は、蓄熱用流体を貯留するタンクが必要になり、コスト高に繋がると共に、設置するための場所を確保しなければならないという問題があった。またポンプや熱交換管路等の備品を備えなければならず、多くの手間やコストが必要となった。【０００５】  そこで本発明は上記の点に鑑み、設置するためのコストや作業を軽減し、送水される水道水を少ない電力で、且つ効率よく加熱することができる電気温水器を提供することにある。
【課題を解決するための手段】
【０００６】上記課題を解決するために、本発明の電気温水器は、水道の蛇口に装着され、送水管内の水道水を電気エネルギーにより加熱する電気温水器において、該電気温水器は、上部に蛇口装着部を設け下部に出水口を形成した枠体と、該枠体内に収容された、周囲に螺旋状の凹溝を施した送水管とからなり、前記凹溝内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことを特徴とする。また前記送水管の周囲に絶縁材を施した。さらに前記送水管の周囲に断熱材を被覆した。
【発明の効果】
【０００７】  送水管の凹溝内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことで、水道の蛇口より送水される水道水は、少ない電力で且つ効率よく加熱することができる。また前記発熱体は凹溝内に収容されているため熱の伝導性が高く、さらに送水管への固定力も向上する。
【発明を実施するための最良の手段】
【０００８】  以下、本発明における電気温水器の実施の形態を図面に基づいて説明する。
本発明の電気温水器は、水道の蛇口に装着されるもので、設置するためのコストや作業を軽減し、送水される水道水を少ない電力で、且つ効率よく加熱することができることを特徴としている。
【０００９】  図１に示す電気温水器１は、水道３０の蛇口３１に装着され、送水管内の水道水を電気エネルギーにより加熱するもので、上部に蛇口装着部３を設け下部に出水口４を形成した枠体２と、該枠体２内に収容された、周囲に螺旋状の凹１１溝を施した送水管１０とからなる。
【００１０】  前記枠体２は、矩形の箱形状を呈しており、適宜強度を有し、加工や防錆特性に優れたステンレス等の金属にて形成されている。また前記枠体２の上部には、水道３０の蛇口３１に着脱自在に装着できる蛇口装着部３が形成されている。また枠体２の下部には、送水管１０から送られてくる水道水を放水する出水口４が形成されている。さらに前記枠体２の側面には、後述詳細の発熱体２０を電気エネルギーにより加熱するための電源コード５が接続されている。なお、前記枠体２の側面に温度調節器やタイマー等を備えてもよい。
【００１１】  送水管１０は、屈曲性に富み熱伝導性の高いアルミ素材で形成されており、上端が蛇口装着部３に、下端が出水口４に配設されている。また前記送水管１０は、枠体２内に上下左右に屈曲された状態で収納されている。また図３および図４に示すように、前記送水管１０の周囲には、連続した螺旋状の凹溝１１が形成され、かかる凹溝１１内には、水道水を少ない電力で、且つ効率よく加熱することができる発熱体２０が収容されている。
【００１２】  前記発熱体２０は、図５に示すように、ポリエステルフィルム基台２１の上面に、ニッケルインヂウム酸化化合物を添加した塗料２２をスプレー塗布し、熱硬化処理を行い、その上面にポリエステルフィルム２３を積層被覆して絶縁性を図る。この時の発熱膜は７μｍ〜５０μｍの厚さで、温度帯により膜厚を変化させる。
【００１３】  また両端に電極端子２４を圧着固定し、電源・電線２６を接続し、絶縁テープ２７で接着固定させ電極部２５を構成し、ニッケルインヂウム酸化化合物の特性により抵抗発熱させることを特徴としている。なおこの発熱体２０は、特開２００４−３１６３７７号（米国特許第７０６０９５０号）公報に開示されている周知の技術である。
【００１４】  上述の発熱体２０を送水管１０の凹溝１１内に収容させることで、少ない電力コストで発熱体２０を瞬時に効率よく加熱させることができる。また、発熱体２０を送水管１０の凹溝１１内に配設させることで、熱の伝導率も高まり、さらに送水管１０への固定力も向上する。発熱体２０を送水管１０に設置することで、水道から送水される水道水は送水管１０内で加熱され、出水口４から温水として出水される。
【００１５】  また他の好適例として、前記送水管１０の周囲に絶縁材１２を施した。かかる絶縁材１２は、フッ素樹脂からなる非粘着用表面塗布剤であり、低摩耗性、耐候性等の特性を有し、加熱しても溶融しない耐熱性に優れる。かかる絶縁材１２を送水管１０の周囲に施すことで、水滴や磨耗から送水管１０の表面を保護することができる。
【００１６】  また他の好適例として、前記送水管１０の周囲に断熱材１３を被覆した。かかる断熱材１３の素材としては、ポリウレタン樹脂、ポリエステル樹脂、エポキシ樹脂、メラミン樹脂、フェノール樹脂等を用いることが望ましい。かかる断熱材１３を送水管１０の周囲に被覆することで、発熱体２０の熱を外部に発熱させることがなく、熱効率の向上と枠体２の加熱を防ぐことができる。
【図面の簡単な説明】
【００１７】
【図１】本発明における電気温水器の使用状態を示す。
【図２】前記電気温水器の断面図である。
【図３】送水管の斜視図である。
【図４】送水管の断面図である。
【図５】発熱体の詳細を示す。
【符号の説明】
【００１８】１    電気温水器
２    枠体
３    蛇口装着部
４    出水口
５    電源コード
１０  送水管
１１  凹溝
１２  絶縁材
１３  断熱材
２０  発熱体
２１  ポリエステルフィルム基台
２２  塗料
２３  ポリエステルフィルム
２４  電極端子
２５  電極部
２６  電源・電線
２７  絶縁テープ
３０  水道
３１  蛇口
【図１】
2008151492.tif 000003
【図２】
2008151492.tif 000004
【図３】
2008151492.tif 000005
【図４】
2008151492.tif 000006
【図５】
2008151492.tif 000007